(57)【要約】【課題】試し印刷モードの要否を装置が判断して自動で試し印刷モードを実行、もしくは提案することができる印刷装置を提供する。【解決手段】  印刷設定に係る設定操作を行っているユーザの表情や行動を検出する。その後、検出したユーザの表情または行動に基づいて、当該印刷設定に係る印刷を試し印刷モードで行うか否かを判定する。試し印刷モードで印刷を行う場合は、印刷物の一部を印刷した段階で印刷を停止して、印刷物に関する印刷設定の変更操作を受け付ける。【選択図】図６
2015058587.tif 000002
【特許請求の範囲】
【請求項１】
印刷物の一部を印刷した段階で印刷を停止して、前記印刷物に関する印刷設定の変更操作を受け付ける試し印刷モードを備えた印刷装置であって、
印刷設定を受け付ける操作部と、
ユーザの表情または行動を検出する検出部と、
前記検出部によって検出された、印刷設定の設定操作中のユーザの表情または行動に基づいて、前記印刷設定に係る印刷を前記試し印刷モードで行うか否かを判定する制御部と
を有する
ことを特徴とする印刷装置。
【請求項２】
前記制御部は、前記試し印刷モードで印刷中に前記検出部によって検出されたユーザの表情または行動に基づいて、前記試し印刷モードを解除するか否かを判定する
ことを特徴とする請求項１に記載の印刷装置。
【請求項３】
印刷設定に後処理が含まれている場合であっても、前記試し印刷モードで印刷する場合は、前記後処理を実行しない
ことを特徴とする請求項１または２に記載の印刷装置。
【請求項４】
印刷設定の設定操作中のユーザの表情または行動に基づいて前記印刷設定に係る印刷を前記試し印刷モードで印刷するとの判定が成された場合に、該判定の結果をユーザに通知する通知部をさらに有する
ことを特徴とする請求項１乃至３のいずれか１つに記載の印刷装置。
【請求項５】
前記試し印刷モードで印刷する場合は、通常より印刷速度を下げる
ことを特徴とする請求項１乃至４のいずれか１つに記載の印刷装置。
【請求項６】
通常より印刷速度を下げる場合の印刷速度を、前記検出部によって検出されたユーザの表情または行動に応じて切り替える
ことを特徴とする請求項５に記載の印刷装置。
【請求項７】
前記試し印刷モードを解除した後の印刷速度を、前記試し印刷モードで印刷された印刷物を確認するユーザの表情または行動に応じて切り替える
ことを特徴とする請求項５または６に記載の印刷装置。
【発明の詳細な説明】
【技術分野】
【０００１】
本発明は、試し印刷モードの要否を自動で判断する印刷装置に関する。
【背景技術】
【０００２】
近年、プリンタやスキャナ、ファクシミリ等の機能を備える画像形成装置などの複合機（ＭＦＰ（Multi Function Peripheral）では、新たな機能が次々に追加される傾向にあり、ユーザがその多くの機能を全て把握することが難しくなっている。
【０００３】
たとえば、ＭＦＰの持つ機能の１つに試しプリントという機能がある。この機能は、複数部の印刷を行う場合に、１部目を試しに印刷し、同じ設定内容のまま印刷を継続するか、設定内容の一部を修正して残りの印刷を実行するかの選択を受け付ける機能である。特許文献１には、試しプリントの機能を持つ画像形成装置が開示されている（特許文献１参照）。
【０００４】
通常、印刷途中で設定内容が間違っていたと気付いた際に印刷のキャンセルを行うと、修正した設定内容で印刷を行うためには、全設定内容の再設定と再度の印刷指示を行わなければならない。試しプリントを利用することで、これらの手間を省くことができる。
【０００５】
なお、全設定内容の再設定を行う際に、ユーザがキャンセル前の設定内容を覚えていない場合、修正箇所以外をキャンセル前と同じ設定内容に設定できなかったり、修正箇所がわからずキャンセル前と全て同じ設定内容に設定してしまったりする可能性がある。これに対し、試しプリントを使用した場合は、１部目の印刷結果から修正を要すると判断した場合に、現在の印刷設定の内容を引き継いで、その一部を修正して印刷を実行させることができる。
【０００６】
また、ＭＦＰではないが、着信を受け付けた際に、カメラによってユーザの表情を認識し、その認識した表情によって異なる態様で応答する携帯電話が開示されている（特許文献２参照）。
【先行技術文献】
【特許文献】
【０００７】
【特許文献１】特開２００３−０７６５１５号公報
【特許文献２】特開２０１１−２０５４７５号公報
【特許文献３】特開２０１１−２１７１３２号公報
【発明の概要】
【発明が解決しようとする課題】
【０００８】
ＭＦＰに試しプリントの機能が実装されていても、ユーザがその機能の存在や使い方を知らなければ、試しプリントの機能が利用されることは無い。そのため、ユーザが知らない機能であっても、ＭＦＰが自動で適していると判断した機能を、ユーザに提案したり、実行したりすることが望まれる。
【０００９】
特許文献２に記載の技術をＭＦＰに応用した場合、ユーザの表情によって対応する機能を実行することが想定される。しかし、特許文献２に記載の方法は、各表情によって、どのような態様で応答するかは予めユーザが設定しておく必要がある。よって、ＭＦＰに応用した場合であっても、ユーザの知らない機能が実行されることはない。
【００１０】
本発明は、上記の問題を解決しようとするものであり、試し印刷モードの要否を装置が判断して自動で試し印刷モードを実行、もしくは提案する印刷装置を提供する事を目的としている。
【課題を解決するための手段】
【００１１】
かかる目的を達成するための本発明の要旨とするところは、次の各項の発明に存する。
【００１２】
［１］印刷物の一部を印刷した段階で印刷を停止して、前記印刷物に関する印刷設定の変更操作を受け付ける試し印刷モードを備えた印刷装置であって、
印刷設定を受け付ける操作部と、
ユーザの表情または行動を検出する検出部と、
前記検出部によって検出された、印刷設定の設定操作中のユーザの表情または行動に基づいて、前記印刷設定に係る印刷を前記試し印刷モードで行うか否かを判定する制御部と
を有する
ことを特徴とする印刷装置。
【００１３】
上記発明では、印刷設定の設定操作中のユーザの表情または行動を検出し、その検出結果に基づいて、当該印刷設定に係る印刷を試し印刷モードで行うか否かを判定する。試し印刷モードで印刷を行う場合、印刷物の一部を印刷した段階で印刷を停止して、該印刷物に関する印刷設定の変更操作を受け付ける。たとえば、印刷装置は、印刷設定の設定操作中のユーザの表情が不安な表情である場合は、当該ユーザは印刷設定の内容に自信が無い状態であると推測し、試し印刷モードで印刷を行う。これにより、ユーザが試し印刷モードを知らない場合であっても、印刷装置がユーザの表情や行動から試し印刷モードの要否を自動で判断して試し印刷モードを実行する。試し印刷モードを実行する旨はユーザに通知しても、通知しなくてもよい。
【００１４】
［２］前記制御部は、前記試し印刷モードで印刷中に前記検出部によって検出されたユーザの表情または行動に基づいて、前記試し印刷モードを解除するか否かを判定する
ことを特徴とする［１］に記載の印刷装置。
【００１５】
上記発明では、試し印刷モードで印刷中に検出部によって検出されたユーザの表情または行動に基づいて、当該試し印刷モードを解除するか否かを判定する。たとえば、排紙口に排出された１部目の用紙を確認したユーザの表情を検出する。ユーザが不安な表情をしていなければ、１部目でユーザの望む印刷結果が得られたと判断し、試し印刷モードを解除して残りの印刷を行う。不安な表情をしている場合は、１部目でユーザの望む印刷結果が得られなかったと推測し、試し印刷モードを解除しない。
【００１６】
［３］印刷設定に後処理が含まれている場合であっても、前記試し印刷モードで印刷する場合は、前記後処理を実行しない
ことを特徴とする［１］または［２］に記載の印刷装置。
【００１７】
上記発明では、たとえば、印刷を行う際に１００枚の用紙を綴じて部単位の印刷物を作成する場合、印刷された１００枚の用紙に対する後処理が終了するまで、印刷物が排紙トレイに出てこないと、１部目の印刷物が確認可能になるまでに時間がかかってしまう。そこで、試し印刷モードで印刷を行う場合は、後処理を行わずに印刷された用紙を排出する。印刷された用紙を、後処理を行わずに排紙することで、早期に、用紙を確認したユーザの表情や行動を検出することができる。
【００１８】
［４］印刷設定の設定操作中のユーザの表情または行動に基づいて前記印刷設定に係る印刷を前記試し印刷モードで印刷するとの判定が成された場合に、該判定の結果をユーザに通知する通知部をさらに有する
ことを特徴とする［１］乃至［３］のいずれか１つに記載の印刷装置。
【００１９】
上記発明では、試し印刷モードで印刷を実行する場合に、その旨をユーザに通知する。これにより、ユーザは試し印刷モードで印刷が実行されることを認識することができる。１部目の印刷完了で印刷が停止した場合に、ユーザがなぜ停止したかを理解できない事態の発生を防止する。
【００２０】
［５］前記試し印刷モードで印刷する場合は、通常より印刷速度を下げる
ことを特徴とする［１］乃至［４］のいずれか１つに記載の印刷装置。
【００２１】
上記発明では、試し印刷モードで印刷を行う場合は、通常より印刷速度を下げる。排紙される速度が遅くなるので、ユーザは余裕を持って排出される用紙を確認することができる。
【００２２】
［６］通常より印刷速度を下げる場合の印刷速度を、前記検出部によって検出されたユーザの表情または行動に応じて切り替える
ことを特徴とする［５］に記載の印刷装置。
【００２３】
上記発明では、通常より印刷速度を下げる場合の印刷速度を、検出部によって検出されたユーザの表情または行動に応じて切り替える。たとえば、ユーザの不安度を数値化した場合、不安度が第１所定値以上であれば１/３速度で印刷し、不安度が第１所定値未満であれば１/２速度で印刷する。
【００２４】
［７］前記試し印刷モードを解除した後の印刷速度を、前記試し印刷モードで印刷された印刷物を確認するユーザの表情または行動に応じて切り替える
ことを特徴とする［５］または［６］に記載の印刷装置。
【発明の効果】
【００２５】
本発明に係る印刷装置によれば、試し印刷モードの要否を装置が判断して自動で試し印刷モードを実行、もしくは提案することができる。
【図面の簡単な説明】
【００２６】
【図１】本発明の実施の形態に係る印刷装置を示す説明図である。
【図２】本発明の実施の形態に係る印刷装置の概略構成を示すブロック図である。
【図３】本発明の実施の形態に係る印刷装置が印刷を行う際の処理を示す流れ図である。
【図４】試し印刷モードで印刷を実行する場合の処理を示す流れ図である。
【図５】第３の実施の形態において、試し印刷モードで印刷を実行する場合の処理を示す流れ図である。
【図６】図５の処理の続きを示す流れ図である。
【発明を実施するための形態】
【００２７】
以下、図面に基づき本発明の実施の形態を説明する。
【００２８】
＜第１の実施の形態＞
図１は、本発明の実施の形態に係る印刷装置１０を示す。印刷装置１０は、原稿を光学的に読み取ってその複製画像を記録紙に印刷するコピージョブ、読み取った原稿の画像データをファイルにして保存したり外部装置へ送信したりするスキャンジョブ、ＰＣ（Personal Computer）端末から送出されたデータに係る画像を記録紙に印刷して出力するプリントジョブなどのジョブを実行する機能を備えた、所謂、複合機である。
【００２９】
本発明の実施の形態に係る印刷装置１０には、表示部３１と操作部３２を含み印刷装置１０本体の操作を行う操作パネル３０が設置されており、ユーザはこの操作パネル３０を使用して、各種の設定（印刷設定）や、ジョブの実行等の指示を行うことができる（図２参照）。
【００３０】
本発明の実施の形態に係る印刷装置１０は、印刷物の一部を印刷した段階で印刷を停止して、該印刷物に関する印刷設定の変更操作を受け付ける試し印刷モードを備えている。
【００３１】
印刷装置１０は、検出用カメラ２３が撮影して得た映像内のユーザの表情、または行動を検出する検出部２２（図２参照）を備えており、検出部２２によって検出された、印刷設定に係る設定操作中のユーザの表情または行動に基づいて、当該印刷設定に係る印刷を試し印刷モードで行うか否かを判定する。これにより、ユーザが試し印刷モードを知らなくとも、自動で試し印刷モードで印刷が実行される。
【００３２】
また、印刷装置１０は、試し印刷モードで印刷を行っている最中もユーザの表情または行動を検出する。そして、該検出結果によって試し印刷モードを解除するか否かを判定する。すなわち、試し印刷モードで印刷を開始したら、１部目の印刷物を確認したユーザの表情または行動を検出し、該検出結果によって２部目以降の印刷をそのまま継続するか否かを決定する。
【００３３】
なお、本発明の実施の形態に係る印刷装置１０は、後処理装置としての機能を果たす後処理部２４を備えている。印刷装置１０は、２つの排紙トレイ（第１排紙トレイＡ、第２排紙トレイＢ）を備えており、後処理部２４を使わずに排紙する場合は第１排紙トレイＡに排紙する。また、後処理装置で後処理が施された印刷物は第２排紙トレイＢに排紙する。後処理を行う場合、部単位の印刷が完了するまでの各用紙は後処理部２４の内部に蓄積され、後処理（たとえば、綴じ）が完了したら第２排紙トレイＢに排出される。
【００３４】
次に、印刷装置１０の構成について説明する。
【００３５】
図２は、本発明の実施の形態に係る印刷装置１０の概略構成を示すブロック図である。印刷装置１０は、当該印刷装置１０の動作を統括的に制御するＣＰＵ(Central Processing Unit)１１を有している。ＣＰＵ１１にはバスを通じてＲＯＭ(Read Only Memory)１２と、ＲＡＭ(Random Access Memory)１３と、不揮発メモリ１４と、ハードディスク装置１５と、画像処理部１６と、スキャナ部１７と、プリンタ部１８と、ファクシミリ通信部１９と、ネットワーク通信部２０と、認証部２１と、検出部２２と、後処理部２４と、操作パネル３０とを備えている。
【００３６】
ＣＰＵ１１は、ＯＳ（Operating System）プログラムをベースとし、その上で、ミドルウェアやアプリケーションプログラムなどを実行する。ＲＯＭ１２には、各種のプログラムが格納されており、これらのプログラムに従ってＣＰＵ１１が各種処理を実行することで印刷装置１０の各機能が実現される。また、ＲＯＭ１２には、印刷装置１０の一連の制御をＣＰＵ１１が実行するためのプログラムが格納されている。
【００３７】
ＲＡＭ１３は、ＣＰＵ１１がプログラムに基づいて処理を実行する際に各種のデータを一時的に格納するワークメモリや画像データを格納する画像メモリなどとして使用される。
【００３８】
不揮発メモリ１４は、電源をオフにしても記憶内容が破壊されないメモリ（フラッシュメモリ）であり、各種設定情報の保存などに使用される。ハードディスク装置１５は、大容量の不揮発の記憶装置であり、ＯＳプログラムや各種アプリケーションプログラム（ソフトウェア）、ユーザ情報、印刷データや画像データなどが保存される。
【００３９】
画像処理部１６は、画像の拡大縮小、回転などの処理のほか、印刷データをイメージデータに変換するラスタライズ処理、画像データの圧縮、伸張処理などを行う。
【００４０】
スキャナ部１７は、原稿を光学的に読み取って画像データを取得する機能を果たす。スキャナ部１７は、例えば、原稿に光を照射する光源と、その反射光を受けて原稿を幅方向に１ライン分読み取るラインイメージセンサと、ライン単位の読み取り位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００４１】
プリンタ部１８は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００４２】
ファクシミリ通信部１９は、ファクシミリ機能を備えた外部装置と公衆回線を通じて画像データを送受信する機能を果たす。
【００４３】
ネットワーク通信部２０は、ＬＡＮ（Local Area Network）などのネットワークを通じて外部装置との間でデータを通信する機能を果たす。
【００４４】
認証部２１は、ユーザ認証を行う機能を果たす。具体的には、ユーザのログイン時にユーザ認証を行い、ログインユーザを特定する。本実施の形態では、印刷装置１０を利用するにはログインを必要とし、利用前にユーザ認証が必ず行われるものとする。なお、ユーザ認証の方法は、ユーザＩＤ（Identification）とパスワードによる認証や指紋認証等、適当な方法であればよい。
【００４５】
検出部２２は、検出用カメラ２３を複数備えて構成されており、ユーザの表情や行動を検出する。実施の形態では、検出用カメラ２３が撮影した画像に対して画像解析を行ってユーザの表情や行動を検出する。検出用カメラ２３は、たとえば、操作パネル３０を操作中のユーザが映る位置や、印刷後に第１排紙トレイＡ、第２排紙トレイＢに排出された印刷物を覗き込むユーザの顔が映る位置等に設置される（図１参照）。なお、ユーザの表情や行動の検出方法は他の方法であってもよい。
【００４６】
ＣＰＵ１１は、まず、検出用カメラ２３が撮影して得たカメラ画像内のユーザの表情や行動を解析した結果から、試し印刷モードで印刷を実行するか否かを判定する。ここでは、カメラ画像を解析して得たユーザの表情や行動の特徴量が、予め定めた表情や行動の特徴量にどの程度一致するかを調べる。一致度が高い場合に試し印刷モードで印刷を実行する。
【００４７】
本発明の実施の形態では、予め定めた表示や行動は、不安を示す表情や行動であり、ＣＰＵ１１は、前述の一致度を不安度として数値化する。すなわち、ユーザが不安な表情や行動をしている場合は、その表情や行動の特徴量が、予め定めた不安な表情もしくは不安な行動の特徴量とどの程度一致するかを調べ、この一致度が不安度として数値化される。なお、検出部２２が検出するユーザの行動とは、ユーザが印刷装置１０の前から立ち去る行動等である。
【００４８】
後処理部２４は、印刷物に対して、ステープル、パンチ、紙折り、糊付け製本等の後処理を行う。実行される後処理の内容は、受け付けた印刷ジョブに基づいて行われる。
【００４９】
操作パネル３０は、表示部３１と操作部３２とを備えている。このうち操作部３２は、スタートボタンなどのスイッチ部３３とタッチパネル部３４とを備えている。表示部３１は、液晶ディスプレイ（ＬＣＤ…Liquid Crystal Display）などで構成され、各種の操作画面、設定画面などを表示する機能を果たす。操作パネル３０が表示する表示内容の制御、操作パネル３０による操作の受け付けに関する制御はＣＰＵ１１が行う。
【００５０】
タッチパネル部３４は、表示部３１上に設けられている。タッチパネル部３４は、タッチペンや指などで押下された表示部３１上のタッチ位置（座標位置）や、フリック操作やドラッグ操作等を検出する。また、ＣＰＵ１１は、継続的に検出されるタッチ位置の変化（操作情報）から、ユーザによる手書き入力等を認識する。
【００５１】
印刷装置１０は、ユーザが印刷設定を行っている時、および試し印刷モードで印刷を行っている最中に、ユーザの表情や行動を検出する。また、ＣＰＵ１１は、該検出結果に応じて試し印刷モードのオン・オフを制御する。
【００５２】
図３は、印刷装置１０が印刷設定の受け付けを開始してから、印刷が終了するまでに行われる全体の処理を示す。
【００５３】
まず、印刷設定の受け付けを開始したら、設定操作を行うユーザの表情認識を開始する（ステップＳ２０１）。
【００５４】
印刷開始釦が押下されるまでは（ステップＳ２０２；Ｎｏ）、ステップＳ２０１に戻って処理を継続する。印刷開始釦が押下されたら（ステップＳ２０２；Ｙｅｓ）、すなわち、受け付けた印刷設定で印刷ジョブが入力されたら、当該印刷ジョブが複数部印刷を行う印刷ジョブであるか否かを調べる（ステップＳ２０３）。
【００５５】
複数部印刷ではなく１部のみを印刷する印刷ジョブであれば（ステップＳ２０３；Ｎｏ）、当該印刷ジョブに従って印刷を実行し（ステップＳ２０７）、処理を終了する。
【００５６】
複数部印刷を行う印刷ジョブであれば（ステップＳ２０３；Ｙｅｓ）、ステップＳ２０１にて検出した表情から、不安度が所定値以上か否かを判定する（ステップＳ２０４）。具体的には、設定操作を開始してから、終了するまでの間のユーザの表情の特徴量が、予め定めた不安な表情の特徴量とどの程度一致するかを求め、その一致度を不安度として推定する。
【００５７】
不安度が所定値未満であれば（ステップＳ２０５；Ｎｏ）、印刷ジョブに従って印刷を実行し（ステップＳ２０７）、処理を終了する。
【００５８】
不安度が所定値以上であれば（ステップＳ２０５；Ｙｅｓ）、試し印刷モードをオンにして印刷処理を実行し（ステップＳ２０６）、処理を終了する。
【００５９】
印刷装置１０は、印刷設定に係る設定操作中のユーザの表情を検出し、不安度が所定値以上である場合、当該ユーザは印刷設定の内容に自信が無い状態であると推測し、試し印刷モードを自動でオンにして印刷を開始する。これにより、ユーザが試し印刷モードを知らない場合であっても、ユーザの表情や行動から、自動で試し印刷モードをオンに設定し、印刷を開始することができる。
【００６０】
次に、試し印刷モードがオンの状態で行う印刷処理について説明する。
【００６１】
印刷装置１０は、試し印刷モードがオンの状態で印刷を開始した場合、１部目の印刷中、および１部目の印刷が完了してから数秒間のユーザの表情、行動を検出する。
【００６２】
たとえば、排紙口（第１排紙トレイＡ、もしくは第２排紙トレイＢ）に排出された１部目の用紙を確認したユーザの表情を検出する。ユーザの望む印刷結果が得られていれば、不安な表情が解消されると推測される。よって、ＣＰＵ１１は、検出結果に基づく不安度が所定値未満であれば、１部目でユーザの望む印刷結果が得られたと判断して試し印刷モードを解除する。
【００６３】
不安度が所定値以上の場合は、１部目でユーザの望む印刷結果が得られなかったと推測し、２部目以降の印刷を停止する。また、２部目以降の印刷を停止した場合、印刷設定の変更操作を受け付け可能とする。
【００６４】
なお、ＣＰＵ１１は、ユーザが印刷装置１０の前から立ち去った場合も、ユーザは印刷設定に自信がある状態であると推測し、不安度が所定値未満であると判断する。
【００６５】
図４は、試し印刷モードがオンの状態で印刷を開始した場合の処理を示す。図４は、図３のステップＳ２０６にて実行される印刷処理を示す。
【００６６】
まず、印刷装置１０は、試し印刷モードをオンにする（ステップＳ１０１）。次に、１部目の印刷を行う（ステップＳ１０２）とともに、印刷中、および１部目の印刷が完了してから数秒ほどのユーザの表情、行動を検出し、不安度を判定する（ステップＳ１０３）。
【００６７】
不安度の数値が所定値未満であれば（ステップＳ１０４；Ｙｅｓ）、試し印刷モードを解除して、残りの印刷を行い（ステップＳ１０５）本処理を終了する。不安度の数値が所定値以上であれば（ステップＳ１０４；Ｎｏ）、残りの印刷を行わず（ステップＳ１０６）、本処理を終了する。なお、残りの印刷を行わない場合、印刷設定の変更操作を受け付け可能とする。
【００６８】
このように印刷装置１０は、印刷設定に係る設定操作中のユーザの表情や行動を検出してユーザの不安度を判定し、不安度が所定値以上である場合は、そのユーザが指示した印刷を、試し印刷モードで開始する。
【００６９】
また、試し印刷モードで印刷を行う場合は、１部目の印刷中、および１部目の印刷が完了してから数秒間のユーザの表情や行動を検出して不安度を判定し、不安度が所定値未満である場合は、試しプリントモードを解除して残りの印刷を実行し、不安度が所定値以上である場合は、残りの印刷を停止して、印刷設定の変更操作を受け付ける。これにより、ユーザが試し印刷モードを知らない場合であっても、ユーザの表情や行動から、自動で試し印刷モードを解除して印刷を継続するか、印刷設定の変更操作を受け付けるかを決定することができる。
【００７０】
なお、試し印刷モードがオンになった際に、ユーザの表情や行動によって２部目以降の印刷が停止することを表示部３１に表示してもよい。また、１部目を印刷後、試し印刷モードを解除して残りの印刷を行う場合はその旨を表示部３１に表示してもよい。
【００７１】
＜第２の実施の形態＞
第２の実施の形態では、後処理を含む印刷ジョブを実行する場合について説明する。なお、第２の実施の形態においても印刷装置１０のハード構成は第１の実施の形態と同じである。また、第２の実施の形態では、第１の実施の形態との相違点を説明し、同一部分の説明は適宜省略する。
【００７２】
第２の実施の形態では、試し印刷モードにて、後処理を含む印刷ジョブに係る印刷を行う場合、１部目の印刷時は、印刷物に対して後処理を行わない。
【００７３】
通常、後処理を行う場合は、部単位の印刷が完了するまでの各用紙は後処理部２４の内部に蓄積され、後処理（たとえば、綴じ）が完了したら第２排紙トレイＢに排出される。よって、たとえば、１部が１００枚の用紙で構成されている場合、１００枚分の印刷後、後処理が完了するまで、用紙が排出されないので、ユーザが１部目の内容を確認するまでに時間がかかってしまう。
【００７４】
そこで、第２の実施の形態では、試し印刷モードにて、後処理を含む印刷ジョブに係る印刷を行う場合、１部目の印刷時は、後処理を行うことなく印刷された用紙を排紙する。
【００７５】
第２の実施の形態では、印刷装置１０は、試し印刷モードがオンの状態で印刷を開始した場合、１部目の印刷を開始してから完了するまでの間のユーザの表情、行動を検出する。その後、不安度が所定値未満であると判断した場合は、試し印刷モードを解除して、２部目以降の印刷を実行する。不安度が所定値以上であると判断した場合は、印刷を停止し、印刷設定の変更操作を受け付ける。
【００７６】
なお、印刷装置１０は、試し印刷モード時に後処理を行うことなく１部目を排出するので、残りの印刷（２部目以降の印刷）を実行する際には、印刷予定の部数を自動的に１部追加してから残りの印刷を行う。これにより、１部目の分が補完される。なお、残りの印刷を行う際に、１部追加するか否かの指示をユーザから受け付けるようにしてもよい。
【００７７】
＜第３の実施の形態＞
第３の実施の形態では、試し印刷モードで印刷を実行する際に、１部目の印刷速度を、ユーザの不安度に応じて変更する場合について説明する。なお、第３の実施の形態においても印刷装置１０のハード構成は第１の実施の形態と同じである。また、第３の実施の形態では、第１の実施の形態との相違点を説明し、同一部分の説明は適宜省略する。
【００７８】
第３の実施の形態では、試し印刷モードで印刷を実行する際に、１部目の印刷速度を、ユーザの不安度に応じて変更する。
【００７９】
具体的には、ＣＰＵ１１は、検出部２２が検出したユーザの表情・行動から不安度を数値化し、その数値が４段階のうちのいずれに該当するかを調べる。具体的には、不安度を「大」、「中」、「小」、「無し」の４段階に分類する。不安度が「無し」の場合の印刷速度を通常の速度とし、不安度が「小」の時は、通常の１/２の速度で印刷を行い、不安度が「中」の時は、通常の１/３の速度で印刷を行う。不安度が「大」の時は一部目の印刷を停止し、印刷を続行するか否かの指示を受け付ける。
【００８０】
図５、図６は、第３の実施の形態において、印刷装置１０が試し印刷モードで印刷を実行する際の処理を示す。図５、図６の処理は、図３のステップＳ２０６に該当する。なお、図５、図６の処理を行っている最中は検出部２２が、ユーザの表情と行動を常に検出しているものとする。
【００８１】
まず、試し印刷モードをオンに設定し、１部目の印刷を開始する（ステップＳ２０１）。
【００８２】
印刷を開始した際の、初速は、印刷設定中に検出したユーザの表情・行動から求めた不安度により決定する。その後は印刷中の表情・行動で不安度が変化したら、速度を変更する。
【００８３】
不安度が「中」の場合は（ステップＳ２０２；Ｙｅｓ）、通常の１/３の速度で印刷を行い（ステップＳ２０６）、ステップＳ２０９に進む。
【００８４】
不安度が「小」の場合は（ステップＳ２０２；Ｎｏ、ステップＳ２０３；Ｙｅｓ）、通常の１/２の速度で印刷を行い（ステップＳ２０７）、ステップＳ２０９に進む。
【００８５】
不安度が「無し」の場合は（ステップＳ２０３；Ｎｏ、ステップＳ２０４；Ｙｅｓ）、通常の速度で印刷を行い（ステップＳ２０８）、ステップＳ２０９に進む。
【００８６】
不安度が「大」となる表情とは、明らかに印刷を失敗したと推測されるような表情である。不安度が「大」の場合は（ステップＳ２０４；Ｎｏ、ステップＳ２０５；Ｙｅｓ）、１部目の印刷を一旦停止し、ユーザから印刷を続行するか否かの選択を受け付ける。１部目の印刷を続行する場合は（ステップＳ２１０；Ｙｅｓ）、ステップＳ２０９に進む。１部目の印刷を続行しない場合は（ステップＳ２１０；Ｎｏ）、図６のステップＳ２１５に進む。
【００８７】
ステップＳ２０５にて、不安度が「大」でない場合は（ステップＳ２０５；Ｎｏ）ステップＳ２０２に戻って処理を継続する。
【００８８】
ステップＳ２０９では、１部目の印刷が完了したか否かを調べている。完了していない場合は（ステップＳ２０９；Ｎｏ）、ステップＳ２０２に戻って処理を継続する。
【００８９】
１部目の印刷が完了した場合は（ステップＳ２０９；Ｙｅｓ）、図６のステップＳ２１１に進む。
【００９０】
図６では、２部目以降の印刷を行う場合についての処理を説明する。まず、ステップＳ２１１にて、１部目の印刷が完了時のユーザの表情や、行動から不安度を数値化し、不安度が所定値未満であれば（ステップＳ２１１；Ｙｅｓ）、試し印刷モードを解除し、２部目以降の印刷を通常の速度で行い（ステップＳ２１４）、本処理を終了する。
【００９１】
不安度が所定値以上であれば（ステップＳ２１１；Ｎｏ）、印刷を停止し（ステップＳ２１２）、ユーザから印刷を続行するか否かの選択を受け付ける。印刷を続行する場合は（ステップＳ２１３；Ｙｅｓ）、ステップＳ２１４に進む。印刷を続行しない場合は（ステップＳ２１３；Ｎｏ）、２部目以降の印刷を中止して印刷ジョブを強制終了させ（ステップＳ２１５）、本処理を終了する。
【００９２】
なお、２部目以降の印刷においても、印刷中のユーザの表情、行動を検出し、その不安度に応じて印刷速度を変更しつつ印刷してもよい。
【００９３】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９４】
本発明の実施の形態では、１部目を試し印刷モードで印刷中にユーザの表情や行動を検出した検出結果に基づく不安度が所定値未満か否かによって、試し印刷モードを解除して２部目以降の印刷を行うか否かを自動で決定したが、試し印刷モードを解除して２部目以降の印刷を行うか否かは、ユーザが手動で決定してもよい。
【００９５】
本発明の実施の形態では、１部目の印刷完了時に、試し印刷モードを解除するか否かの判定を行っていたが、該判定のタイミングはこれに限らない。たとえば、１枚目の印刷完了時に該判定を行ってもよい。試し印刷モードは、複数部数の１部目の印刷完了時に停止するものに限定されず、たとえば、１部が多数枚（たとえば１００枚）の印刷物を１部のみ印刷するような場合に適用されてもよい。この場合、たとえば、１枚目あるいは最初の数枚（設定枚数）を印刷した段階で印刷を一時停止させればよい。
【００９６】
本発明の実施の形態では、印刷設定の設定操作中のユーザの表情または行動に基づいて該印刷設定に係る印刷を試し印刷モードで印刷するとの判定が成された場合に、該判定の結果を表示部３１に表示してユーザに通知していたが、通知方法は他の方法でも構わない。たとえば、音声通知などでもよい。
【００９７】
本発明の第３の実施の形態では、通常速度、１/２速度、１/３速度、のいずれかで印刷を行ったが、印刷速度はこの３つに限らない。たとえば、１/４速度の印刷でもよい。また、速度を何段階に変化させるかについても任意でよい。
【符号の説明】
【００９８】
１０…印刷装置
１１…ＣＰＵ
１２…ＲＯＭ
１３…ＲＡＭ
１４…不揮発メモリ
１５…ハードディスク装置
１６…画像処理部
１７…スキャナ部
１８…プリンタ部
１９…ファクシミリ通信部
２０…ネットワーク通信部
２１…認証部
２２…検出部
２３…検出用カメラ
２４…後処理部
３０…操作パネル
３１…表示部
３２…操作部
３３…スイッチ部
３４…タッチパネル部
Ａ…第１排紙トレイ
Ｂ…第２排紙トレイ
【図１】
2015058587.tif 000003
【図２】
2015058587.tif 000004
【図３】
2015058587.tif 000005
【図４】
2015058587.tif 000006
【図５】
2015058587.tif 000007
【図６】
2015058587.tif 000008